(57)【特許請求の範囲】
【請求項１】
端子金具を収容するキャビティを備えたハウジング本体と、このハウジング本体のうち前記端子金具に接続されている複数の電線が導出される部分に着脱可能に装着される電線保持部材とを備え、
前記電線保持部材は前記電線をその導出方向と直交する方向に押圧可能な電線押圧突条を有するとともに、ハウジング本体に対して仮係止位置と本係止位置との間で移動可能とされ、この電線保持部材が前記仮係止位置にあるときには前記端子金具及び電線がキャビティへ自由に挿通し、前記本係止位置にあるときには前記電線が前記電線保持部材の電線押圧突条によって屈曲されて前記電線が抜け止め状態に保持されるとともに、
前記電線押圧突条は前記電線保持部材において前記電線の並び方向のほぼ全長に亘って連続して形成されているところを特徴とするコネクタ。
【請求項２】
前記ハウジング本体には前記キャビティに連なる電線挿通筒部が一体に形成され、この電線挿通筒部に前記電線の挿通方向と直交する方向に電線保持部材挿入孔が形成され、
この電線保持部材挿入孔に挿通された前記電線保持部材が、前記仮係止位置と前記本係止位置との間で移動可能に装着されていることを特徴とする請求項１記載のコネクタ。
【請求項３】
前記キャビティには、端子金具の差込方向に対して直角方向にスライドして前記端子金具を抜け止め状態に係止するリテーナが設けられ、
前記電線保持部材は、前記リテーナと一体に形成されていることを特徴とする請求項１または請求項２記載のコネクタ。
【発明の詳細な説明】
【０００１】
【発明の属する技術分野】
本発明は電線を抜け止め保持できるようにしたコネクタに関する。
【０００２】
【従来の技術】
コネクタが使用される状況下では、ハウジングから引き出された電線に引っ張り力が作用することがある。この引っ張り力がハウジング内の端子金具の係止部に直接及ぶことを回避するために、電線を抜け止め保持できるようにしたコネクタがある。例えば、この種のコネクタとして特開平７−６８１５号に開示されたものが知られている。これは、図１３に示すように、コネクタハウジング２の後端部４から複数の電線３が引き出されているとともに、その後端部４の側縁には電線支持部５が延出して一体に形成されており、電線３群の下方及び側方を覆っている。
【０００３】
そして、このコネクタ１はコネクタハウジング２とは別パーツの電線押圧用クランプ６を備えており、これが、電線支持部５を覆う大きさに形成された基板部７の両側縁から下方に延びる一対の取付け片９を有すると共に、そのすぐ内側に一対の電線押圧片８が下向きに形成されている。
上記構成において、電線押圧用クランプ６を電線支持部５に取付けた状態では、電線支持部５を構成する電線支持壁１０と電線押圧用クランプ６の電線押圧片８によって、両端側に配置される電線３を屈曲させて抜け止め状態に保持することができる。
【０００４】
【発明が解決しようとする課題】
上記構造によれば、電線押圧用クランプ６はコネクタハウジング２とは別部品となっているにもかかわらず、仮止め手段を備えていない。そのため、コネクタ１本体を組み立てる際には、コネクタハウジング２に電線３を装着する作業の後に、あらためて、電線押圧用クランプ６を電線支持部５に嵌合させて取り付けるといった作業が必要となる。このように組立工程が多くなると、電線３の差込作業に集中できず、効率が悪くなる。
【０００５】
また、上記したように電線押圧用クランプ６は最終工程で組み付けがなされるため、コネクタ１の組み付けが完了するまでの間は、電線押圧用クランプ６を個別に部品管理する必要があり煩わしい。
本発明は上記のような事情に基づいて完成されたものであって、必要な電線保持がなされ、かつ、組み付け性及び部品管理に優れるコネクタを提供することを目的とする。
【０００６】
【課題を解決するための手段】
上記の目的を達成するための手段として、請求項１の発明に係るコネクタは、端子金具を収容するキャビティを備えたハウジング本体と、このハウジング本体のうち前記端子金具に接続されている複数の電線が導出される部分に着脱可能に装着される電線保持部材とを備え、前記電線保持部材は前記電線をその導出方向と直交する方向に押圧可能な電線押圧突条を有するとともに、ハウジング本体に対して仮係止位置と本係止位置との間で移動可能とされ、この電線保持部材が前記仮係止位置にあるときには前記端子金具及び電線がキャビティへ自由に挿通し、前記本係止位置にあるときには前記電線が前記電線保持部材の電線押圧突条によって屈曲されて前記電線が抜け止め状態に保持されるとともに、前記電線押圧突条は前記電線保持部材において前記電線の並び方向のほぼ全長に亘って連続して形成されているところに特徴を有する。
【０００７】
請求項２の発明は、請求項１に記載のものにおいて、前記ハウジング本体には前記キャビティに連なる電線挿通筒部が一体に形成され、この電線挿通筒部に前記電線の挿通方向と直交する方向に電線保持部材挿入孔が形成され、この電線保持部材挿入孔に挿通された前記電線保持部材が、前記仮係止位置と前記本係止位置との間で移動可能に装着されているところに特徴を有する。
【０００８】
請求項３の発明は、請求項１または請求項２に記載のものにおいて、前記キャビティには、端子金具の差込方向に対して直角方向にスライドして前記端子金具を抜け止め状態に係止するリテーナが設けられ、前記電線保持部材は、前記リテーナと一体に形成されているところに特徴を有する。
【０００９】
【発明の作用及び効果】
＜請求項１の発明＞
請求項１の発明によれば、電線保持部材は、仮係止位置と本係止位置とで選択的に係止可能であり、仮係止位置においては端子金具及び電線の挿通が可能となっている。そこで、コネクタの組立を行う前に予め電線保持部材をハウジング本体に取り付けて仮係止位置にセットしておき、その状態で端子金具の挿入作業をすることができる。そして、端子金具を挿入した後に、電線保持部材を本係止位置に移動させれば、電線が電線保持部材によって屈曲されて、抜け止め状態に保持される。従って、端子金具の挿入後に、あらためて電線押圧用クランプ６を組み付けるといった煩わしい作業を行うこともなく、コネクタの組立性に優れる。また、上記したように、電線保護部材をコネクタハウジングに予め取り付けておくことで、コネクタハウジングと電線保護部材を同時に管理することができ、管理性に優れる。
【００１０】
＜請求項２の発明＞
請求項２の発明によれば、電線を挿通させる電線挿通筒部をハウジング本体に一体に形成し、この電線挿通筒部に電線保持部材挿入孔を設けて、電線保持部材を挿入可能とした。そして、電線保持部材は電線挿通筒部内部に挿入して、電線を屈曲させつつ、電線挿通筒部内壁に電線を押圧して保持する。従って、電線を保持するのに、電線保持部材以外には新たに別パーツを設ける必要がない。
【００１１】
＜請求項３の発明＞
請求項３の発明によれば、電線保持部材はリテーナと一体に形成されているため、コネクタを構成する部品点数を削減することができ、低コスト化が図れる。
【００１２】
【発明の実施の形態】
以下、本発明の実施形態を添付図面に基づいて説明する。
＜第１実施形態＞
本発明の第１実施形態を図１ないし図８によって説明する。
【００１３】
図１において、２１は雌型のハウジング本体であり、内部には、上下二段のキャビティ２２がハウジング本体２１の前後方向に沿って貫通して形成されており、電線４０の端部において露出する芯線４１をかしめつけて固定した端子金具４２を収容可能としている。また、ハウジング本体２１の側面２４には各キャビティ２２と連通する凹部２５が設けられ、ここにリテーナ５０が装着される。
【００１４】
詳しく図示しないが、リテーナ５０は支持壁５３の上側の左右両端部寄りの位置に一対の弾性爪５４、５５を設けている。この弾性爪５４、５５の内側にはスリット５６が設けてあり、弾性爪５４、５５を撓み可能としている。また、この弾性爪５４、５５の先端には外向きに爪部５４Ａ、５４Ｂが設けてある一方、前記凹部２５を構成する左・右両側壁２７、２８には、爪部５４Ａ、５５Ａと係合可能な突起２７Ａ、２８Ａが内向きに形成されている。
【００１５】
この両突起２７Ａ、２８Ａは、夫々、異なる高さに形成されているため、リテーナ５０がハウジング本体２１に装着された時には、図７に示すように、右側の爪部５５Ａと突起２８Ａとが係合する仮係止位置と、図８に示すように、左側の爪部５４Ａと突起２７Ａとが係止する本係止位置の２段階で係止可能となっている。仮係止位置においては、キャビティ２２の内部をリテーナ５０の各係止部５１、５２が塞いでおらず、端子金具４２の組み付けが可能となっている。
【００１６】
また、各キャビティ２２内の前端寄りの位置には、片持ち状のランス２３が撓み可能に形成されており、キャビティ２２内に収容された端子金具４２を弾性的に係止して抜け止めを行う。そして、前記したリテーナ５０を本係止位置に移動させた時には、各端子金具４２とリテーナ５０の各係止部５１、５２の上端が係止して、端子金具４２の抜け止めを図っている。
また、側面２４と反対側の側面２９には片持ち状のロックアーム３０が撓み可能に設けられており、雄コネクタハウジング（図示せず）と正規に嵌合がなされたときに、雄コネクタハウジングと係止して両コネクタハウジングを嵌合状態に保持することができる。
【００１７】
ところで、ハウジング本体２１は、後方に延出した電線挿通筒部３２を一体に形成している。この電線挿通筒部３２はキャビティ２２と対応して内部で二段に分かれており、その後端面からは電線挿通筒部３２を挿通した電線４０が導出される。この電線挿通筒部３２の側面２４には後述する電線保持部材６０を電線４０の挿通方向と直交する方向に挿抜可能とする電線保持部材挿入孔３５を設けており、電線保持部材６０を電線挿通筒部３２内に収容可能としている。
【００１８】
電線保持部材６０は、図５に示すように、平板状をなす基板に、左右方向に等間隔で並ぶ矩形の電線挿通孔６１を５個設けている。この各電線挿通孔６１はハウジング本体２１下段のキャビティ２２と対応している。電線保持部材６０には、図４に示すように、先に挿入される側の端面に断面が凸状をなす電線押圧突条６６Ａが全長にわたって形成されており、この部位にて後述する電線４０の保持がなされる。各電線挿通孔６１の挿入元側の内面には、やはり、電線押圧突条６６Ｂが形成されている。また、電線保持部材６０の左右両端面６２には上面が傾斜状に形成された係止突起６２Ａが外向きに設けられているとともに、電線挿通筒部３２の側面３４には前記係止突起６２Ａと係合可能な係止孔３４Ａ、３４Ｂを上・下に設けており、仮係止位置と本係止位置の２段階で係止可能となっている。
【００１９】
次に、上記のように構成された本実施形態の作用効果を具体的に説明する。
ハウジング本体２１に端子金具４２を組み付けるには、次のように組み立てを行う。まず、ハウジング本体２１に、リテーナ５０と電線保持部材６０とを仮係止位置にセットしておく。
リテーナ５０をセットするには、ハウジング本体２１に設けた凹部２５に対してリテーナ５０を押し込んでゆき、弾性爪５５の爪部５５Ａとハウジング本体２１の突起２８Ａとを係止させる。この係止位置では、端子金具４２の挿入作業が可能となっている。
そこで、端子金具４２をハウジング本体２１に設けた電線挿通筒部３２の後端から、キャビテイ２２に向けて挿入する挿入作業を行い、キャビティ２２に設けられたランス２３に端子金具４２を係止する。
【００２０】
そして、全ての端子金具４２の挿入作業が完了した後に、仮係止位置にあるリテーナ５０及び電線保持部材６０を更に押し込んで、それぞれ、本係止位置に移動させる。この係止位置では、リテーナ５０側は、弾性爪５４の爪部５４Ａとハウジング本体２１の突起２７Ａとが係止している。また、電線保持部６０側は、電線保持部材６０の係止突起６２Ａと電線挿通筒部３２の係止孔３４Ａとが嵌合している。
【００２１】
この本係止位置では、上段のキャビティ２２から導出させた電線４０は、電線保持部材６０の電線押圧突条６６Ａによって山型に屈曲された状態で、電線挿通筒部３２の内面３２Ａに押圧される。一方、下段のキャビティ２２から導出させた電線４０は電線保持部材６０の電線挿通孔６１の電線押圧突条６６Ｂによって山型に屈曲された状態で、電線挿通筒部３２の内面３２Ｂに押圧され、電線４０の抜け止めが完了する。
【００２２】
このように本実施形態によれば、コネクタの組立を行う前に、予め、別工程で電線保持部材６０をハウジング２１本体に取り付けて仮係止位置にセットしておけば、その状態で端子金具４２の挿入作業をすることができる。そのため、端子金具４２の挿入工程では、挿入作業を集中して行うことができ、作業性に優れる。また、上記したように、電線保持部材６０をハウジング２１本体に予め取り付けておくことで、ハウジング本体２１と電線保持部材６０を同時に管理することができ、管理性に優れる。
そして、電線挿通筒部３２をハウジング本体２１に一体に形成しているため、電線４０を保持するのに、電線保持部材６０以外には新たに別パーツを設ける必要がない。
【００２３】
＜第２実施形態＞
次に、本発明の第２実施形態を図９ないし図１２によって説明する。
第１実施形態ではリテーナ５０と電線保持部材６０を別パーツにより構成し、夫々に、係止機構を設けたが、第２実施形態ではリテーナ５０と電線保持部材６０を一体化した保持部材８０を採用して、第１実施形態で採用した電線保持部材６０側の係止機構を廃止したものである。
【００２４】
従って、コネクタを構成する部品点数を削減でき、かつ、リテーナ５０及び電線保持部材６０の組み付け作業を同時に行うことができ、組み付け性に優れる。その他の構成については、上記第一実施形態と同じであるため、同じ構成については、同一符号を付し、構造、作用、及び効果の説明は省略する。
【００２５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２６】
（１）第１実施形態では、リテーナを装着し端子金具を二重に係止する構造としたが、ランスのみの一次係止でもよい。
【図面の簡単な説明】
【図１】本発明の第１実施形態における組み付け前の断面図
【図２】仮係止位置における断面図
【図３】端子金具装着後の断面図
【図４】本係止位置における断面図
【図５】図３中のＡ−Ａ断面
【図６】図４中のＢ−Ｂ断面
【図７】リテーナの仮係止状態を示す断面図
【図８】リテーナの本係止状態を示す断面図
【図９】本発明の第２実施形態における組み付け前の断面図
【図１０】仮係止位置における断面図
【図１１】本係止位置における断面図
【図１２】保持部材の係止状態を示す断面図
【図１３】従来例の斜視図
【符号の説明】
２１…ハウジング本体
２２…キャビテイ
２５…凹部
３２…電線挿通筒部
３５…電線保持部材挿入孔
４０…電線
４２…端子金具
５０…リテーナ
６０…電線保持部材
６１…電線挿通孔
【図１】
0003589197.tif 000002
【図２】
0003589197.tif 000003
【図３】
0003589197.tif 000004
【図４】
0003589197.tif 000005
【図５】
0003589197.tif 000006
【図６】
0003589197.tif 000007
【図７】
0003589197.tif 000008
【図８】
0003589197.tif 000009
【図９】
0003589197.tif 000010
【図１０】
0003589197.tif 000011
【図１１】
0003589197.tif 000012
【図１２】
0003589197.tif 000013
【図１３】
0003589197.tif 000014